(57)【要約】【課題】破砕容器に損傷を生じない適度な力で挟持し、且つ蓋体の緩みを生じさせない破砕装置の容器保持構造を提供する。【解決手段】破砕装置の容器保持ユニット１１において、破砕振動が伝達される振動部５の外周縁に沿って、破砕容器２が円環状に２列で配列されている。これら破砕容器２の蓋体４側には押圧部材６が配置されている。押圧部材６には、外周縁側の破砕容器２に対向する側に、円環状に延びる内側環状刃７ａ、外側環状刃７ｂが形成されている。これら刃状突起７は、押圧部材６がノブ８により締め付けられた際、蓋体４の上面に食い込む。【選択図】図１
2014108385.tif 000002
【特許請求の範囲】
【請求項１】
本体外周に形成されたフランジの上方に蓋体が螺合された破砕容器に破砕振動を与える、振動式の破砕装置の容器保持構造であって、
前記フランジが係止することで前記破砕容器を保持する保持部が形成され、
前記破砕容器に破砕振動を伝達する振動部と、
前記振動部に保持される前記破砕容器の前記蓋体側に配置され、
前記蓋体に当接可能な側に前記蓋体よりも硬質材で立体の表面加工が施された当接部が設けられた押圧部材と、
前記当接部が前記蓋体へ圧着された状態で前記押圧部材と前記振動部を固定する固定手段を備えたことを特徴とする破砕装置の容器保持構造。
【請求項２】
前記当接部には、刃状突起の立体加工が施されていることを特徴とする請求項１に記載の破砕装置の容器保持構造。
【請求項３】
前記保持部には、前記振動部に円環状に並び、前記フランジが係止可能となる貫通孔が形成され、
前記当接部には、前記貫通孔の円環状の配列と略同心円上に延びる円環状の刃状突起が形成されていることを特徴とする請求項２に記載の破砕装置の容器保持構造。
【請求項４】
前記当接部には、溝が形成されていることを特徴とする請求項１に記載の破砕装置の容器保持構造。
【請求項５】
前記当接部には、前記蓋体の上面に略弦月形に当接する凸部が形成されていることを特徴とする請求項１に記載の破砕装置の容器保持構造。
【請求項６】
前記当接部には、エンボス加工が施されていることを特徴とする請求項１に記載の破砕装置の容器保持構造。
【請求項７】
前記当接部には、前記蓋体の螺合回転中心を除く少なくとも１点に当接可能な尖頭部が形成されていることを特徴とする請求項１に記載の破砕装置の容器保持構造。
【発明の詳細な説明】
【技術分野】
【０００１】
本発明は、生体のサンプル組織等を、密閉型の破砕容器に封入して、高速振動を与えることにより破砕・粉砕する破砕装置の容器保持構造に関するものである。
【背景技術】
【０００２】
複数のサンプルを同時に扱う場合、クロスコンタミネーションが問題となる。このクロスコンタミネーションを防止するためには、実験器具等がディスポーザブルであることが望ましい。したがって、破砕装置に用いられる破砕容器についても、樹脂製のディスポーザブル容器が多く採用されている。具体的には、樹脂製の筒状の本体に、Ｏリングなどのシーリング部材を有した螺子締め式の蓋が取り付けられている構成が一般的である。
【０００３】
ところで、振動式の破砕装置では、短時間にサンプル組織を破砕・粉砕するために、破砕容器に対して毎分数千回転の回転運動に基づく高速振動が与えられる。したがって、この高速振動に耐えられるように、破砕容器を装置へ強固に固定する必要がある。
【０００４】
図９に従来の破砕装置１００を示す。図９の破砕装置１００の容器保持ユニット１０１では、破砕容器１０４は容器保持板１０２に複数形成された孔（図示せず）に載置されている。そして、載置された破砕容器１０４を固定するために、容器保持板１０２の上方に押圧板１０３が設けられている。押圧板１０３には、破砕容器１０４のキャップ１０４ａの上面を覆うように延びる舌片１０３ａが形成されている。そして、舌片１０３ａのキャップ１０４ａ側にはキャップ１０４ａに当接するピン１０３ｂが設けられている。舌片１０３ａは、押圧板１０３を容器保持板１０２側へ押圧固定されることにより撓りを生じる。そして撓ることにより舌片１０３ａに弾性力が生じる。この弾性力により、破砕容器１０４は押圧固定される。このような破砕装置１００の容器保持ユニット１０１については特許文献１に開示がある。
【先行技術文献】
【特許文献】
【０００５】
【特許文献１】特開２００４−５００３１号公報
【発明の概要】
【発明が解決しようとする課題】
【０００６】
しかしながら、樹脂製の破砕容器１０４を、高速振動に耐えられるように適度に挟持するのは容易ではない。すなわち、あまりに強固に締め付けると、樹脂製の破砕容器１０４は損傷して変形する場合がある。そして、キャップ１０４ａに変形が生じると、緩みが生じて内容物が漏出する恐れがある。このような場合、内部の破砕又は粉砕されたサンプル組織が近接する破砕容器１０４に付着し、コンタミネーションが発生する恐れがある。
【０００７】
逆に、破砕容器１０４に変形が生じないように緩く固定すると、高速振動により破砕容器１０４にガタつきが生じ、押圧板１０３に対してキャップ１０４ａが回転して、緩みが生じる恐れがある。
【０００８】
そこで、本発明では、損傷を生じることなく、且つ蓋体の緩みも生じない適度な力で破砕容器を挟持する破砕装置の容器保持構造を提供することを目的とする。
【課題を解決するための手段】
【０００９】
上記目的を達成するために、本発明の破砕装置の容器保持構造は、本体外周に形成されたフランジの上方に蓋体が螺合された破砕容器に破砕振動を与える、振動式の破砕装置の容器保持構造であって、フランジが係止することで破砕容器を保持する保持部が形成され、破砕容器に破砕振動を伝達する振動部と、振動部に保持される破砕容器の蓋体側に配置され、蓋体に当接可能な側に蓋体よりも硬質材で立体の表面加工が施された当接部が設けられた押圧部材と、当接部が蓋体へ圧着された状態で押圧部材と振動部を固定する固定手段を備えたことを特徴とする。
【００１０】
また、本発明の破砕装置の容器保持構造は、上記構成に加えて、当接部には、刃状突起の立体加工が施されていることを特徴とする。
【００１１】
また、本発明の破砕装置の容器保持構造は、上記構成に加えて、保持部には、振動部に円環状に並び、フランジが係止可能となる貫通孔が形成され、当接部には、貫通孔の円環状の配列と略同心円上に延びる円環状の刃状突起が形成されていることを特徴とする。
【００１２】
また、本発明の破砕装置の容器保持構造は、上記構成に加えて、当接部には、溝が形成されていることを特徴とする。
【００１３】
また、本発明の破砕装置の容器保持構造は、上記構成に加えて、当接部には、蓋体の上面に略弦月形に当接する凸部が形成されていることを特徴とする。
【００１４】
また、本発明の破砕装置の容器保持構造は、上記構成に加えて、当接部には、エンボス加工が施されていることを特徴とする。
【００１５】
また、本発明の破砕装置の容器保持構造は、上記構成に加えて、当接部には、蓋体の螺合回転中心を除く少なくとも１点に当接可能な尖頭部が形成されていることを特徴とする。
【発明の効果】
【００１６】
以上のように、本発明によれば、破砕容器は、フランジの下側を振動板に、蓋体の上側を押圧部材に接して狭持される。蓋体よりも硬質材で形成された当接部は、押圧部材の押圧により蓋体の上面に食い込むので、押圧部材に対して蓋体が回転し難い状態となる。これにより、高速振動状態においても、本体に対する蓋体の緩みを防止することができる。
【００１７】
また、本発明によれば、押圧部材が蓋体の上面へ押し付けられることにより、当接部の刃状突起が蓋体の上面へ食い込む。これにより、蓋体と刃状突起とが立体的に接合されて噛み合うので、フランジに対する蓋体の回転を防止でき、破砕対象の漏出を防止できる。
【００１８】
また、本発明によれば、それぞれの破砕容器は、貫通孔の配列と略同心円上に延びる一条の円環状の刃が蓋体の上面に食い込むことにより押圧固定される。これにより、何れの回転位置においても、円環状の刃は全ての蓋体の上面に当接することができるので、位置合わせが容易になる。
【００１９】
また、本発明によれば、押圧部材が蓋体の上面へ押し付けられることにより、当接部の溝内に蓋体の上面の一部が侵入する。これにより、蓋体と当接部とが立体的に接合されて噛み合うので、フランジに対する蓋体の回転を防止でき、破砕対象の漏出を防止できる。
【００２０】
また、本発明によれば、押圧部材が蓋体の上面へ押し付けられることにより、当接部の凸形状に沿って蓋体の上面形状が変形する。これにより、蓋体と当接部とが立体的に接合されて噛み合うので、フランジに対する蓋体の回転を防止でき、破砕対象の漏出を防止できる。
【００２１】
また、本発明によれば、押圧部材が蓋体の上面へ押し付けられることにより、当接部のエンボス加工形状に沿って蓋体の上面形状が変形する。これにより、蓋体と当接部とが立体的に接合されて噛み合うので、フランジに対する蓋体の回転を防止でき、破砕対象の漏出を防止できる。
【図面の簡単な説明】
【００２２】
【図１】本発明の第１の実施の形態に係る破砕装置の容器保持構造を示す斜視図である。
【図２】図１の破砕装置の振動部を示す斜視図である。
【図３】図１の破砕装置の押圧部材を示す斜視図である。
【図４】図１の破砕装置の破砕容器と当接部との当接状態を示した図であって、（ａ）は振動部の外周縁部の平面図、（ｂ）は振動部の外周縁部の側方断面図である。
【図５】本発明の第２の実施の形態に係る破砕装置の容器保持構造における破砕容器と当接部との当接状態を示した図であって、（ａ）は振動部の外周縁部の平面図、（ｂ）は振動部の外周縁部の側方断面図である。
【図６】本発明の第３の実施の形態に係る破砕装置の容器保持構造における破砕容器と当接部との当接状態を示した図であって、（ａ）は振動部の外周縁部の平面図、（ｂ）は振動部の外周縁部の側方断面図である。
【図７】本発明の第４の実施の形態に係る破砕装置の容器保持構造における破砕容器と当接部との当接状態を示した図であって、（ａ）は振動部の外周縁部の平面図、（ｂ）は振動部の外周縁部の側方断面図である。
【図８】本発明の第５の実施の形態に係る破砕装置の容器保持構造における破砕容器と当接部との当接状態を示した図であって、（ａ）は振動部の外周縁部の平面図、（ｂ）は振動部の外周縁部の側方断面図である。
【図９】従来の破砕装置を示す側方断面図である。
【発明を実施するための形態】
【００２３】
本発明の実施の形態に係る破砕装置の容器保持構造について、図を用いて説明する。なお、以下に示す実施の形態は、本発明の一例を示すのであり、実施の形態によって本発明は限定されるものではない。本発明の趣旨を逸脱しない限りにおいて、以下の実施の形態は変更することができる。また、各実施の形態で示された構成要件は、発明が矛盾しない限りにおいて、実施の形態間で適用し合うことができる。各実施の形態において、同一部材・同一構成については同一符号を付して示す。
【００２４】
（第１の実施の形態）
本発明の第１の実施の形態に係る破砕装置の容器保持構造について、図１〜図３を用いて説明する。図１には、複数の破砕容器２と、これら破砕容器２が載置される振動板５（振動部）と、載置された破砕容器２のキャップ４（蓋体）を上方から押圧する押圧板６（押圧部材）と、押圧板６を破砕容器２のキャップ４に当接させた状態で固定するノブ８からなる容器保持ユニット１１が示されている。なお、この図１では、振動板５に伝達する破砕振動を発生する駆動手段については図示を省略している。また、押圧板６は一部破断した状態で示されている。
【００２５】
破砕振動とは、破砕容器２に対して与えられる振動であり、上下、左右、回転といった方向の振動でよい。なお、好ましくは、立体八の字運動による振動を与えるのが好ましい。１方向の振動よりも破砕容器２中の試料に多方向の振動を与えられるからである。また、破砕容器２の中には、破砕媒体（図示せず）が入れられてもよい。試料とともに、破砕容器２の中で振動し、試料の破砕をより容易にするからである。
【００２６】
図２には、振動板５が斜視図で示され、図３には、押圧板６が、破砕容器２に当接する部分の形状がわかるように、当接側を上方に向けて斜視図で示されている。
【００２７】
図１から分かるように、破砕容器２は、振動板５の外周縁に沿って円環状に２列で配列されている。これら破砕容器２は、管状の本体３にフランジ３ａが形成されており、このフランジ３ａの上方に螺子締め式のキャップ４が螺合されている。
【００２８】
図２を参照して、振動板５には、外周縁から仮想線（保持部境界線）５ｄまでの幅５ｅの領域に保持部５ａが設けられており、この保持部５ａに複数の貫通孔５ｂが内外２列の円環状に並んで形成されている。それぞれの貫通孔５ｂの内径は、破砕容器２の本体３が収容できるが、フランジ３ａは通過できない大きさに形成されている。
【００２９】
このため、破砕容器２は、図１に示すように、本体３が貫通孔５ｂに挿通され、貫通孔５ｂの内周縁にフランジ３ａが係止された状態で振動板５に載置されている。つまり、貫通孔５ｂは、破砕容器２を保持する振動板５に形成された保持部５ａであると言える。また、振動板５の中心部は、図示しない駆動手段側と締結固定されている。そして振動板５の中心には、固定軸５ｃが設けられている。固定軸５ｃは、押圧板６をノブ８で固定する際に用いる。
【００３０】
図１に戻って、貫通孔５ｂに配置された破砕容器２のキャップ４の上面は、押圧板６により押圧された状態となっている。
【００３１】
一方、押圧板６には、図３から分かるように、外周縁から幅１０の領域に、刃状突起７が形成されている。この刃状突起７は、内側環状刃７ａ及び外側環状刃７ｂの、２枚の環状の刃で構成されている。したがって、刃状突起７は、押圧板６に施された表面加工である。また、押圧板６の中心には固定軸５ｃに固定するための固定軸貫通孔６ｈが設けられる。
【００３２】
押圧板６の固定軸貫通孔６ｈを固定軸５ｃに挿入し、ノブ８を締め付けることで、押圧板６は、固定軸５ｃを介して振動板５に固定される。したがって、固定軸５ｃとノブ８によって固定手段が構成されている。
【００３３】
本実施の形態においては、破砕容器２は使い捨て用の樹脂材で形成されており、押圧板６は、この樹脂材よりも硬質の部材で形成されている。このため、押圧板６の刃状突起７が施された側を、破砕容器２のキャップ４に対向させ、固定軸５ｃに固定軸貫通孔６ｈを貫通させた上で、押圧板６をノブ８で破砕容器２側へ押し込み固定すると、刃状突起７である内側環状刃７ａや外側環状刃７ｂが破砕容器２のキャップ４に当接し、押圧状態となると、刃先がキャップ４に食い込む。
【００３４】
図１には、これら内側環状刃７ａと外側環状刃７ｂのそれぞれの刃先が、円環状に配列された破砕容器２のキャップ４の上面に食い込んだ状態が示されている。
【００３５】
この様子を別の角度から図４に示す。図４には、破砕容器２が振動板５と押圧板６との間に固定された状態が示されている。このうち図４（ａ）は破砕容器２が保持された振動板５の一部を平面図で示し、図４（ｂ）は図４（ａ）のＡ−Ａ線で切断した断面図を示している。
【００３６】
先ず、図４（ｂ）を参照して、上述のように、破砕容器２はフランジ３ａの下側が貫通孔５ｂ（図２を参照）の内周縁に係止した状態で振動板５に保持されている。また、ノブ８（図１を参照）により押圧板６が下方へ押圧固定されて、破砕容器２のキャップ４の上面には、当接部６ａに設けられた内側環状刃７ａ及び外側環状刃７ｂの刃先が蓋体の上面に食い込んでいる。このように、破砕容器２は、フランジ３ａとキャップ４との間に圧力が加わるようにして固定されている。
【００３７】
図４（ａ）には、破砕容器２のキャップ４の上面のうち、内側環状刃７ａ及び外側環状刃７ｂの刃先の食い込んだ部分が、斜線を施した領域として示されている。このように、それぞれの破砕容器２のキャップ４の上面には、略一直線状に内側環状刃７ａ及び外側環状刃７ｂが食い込んでいるので、螺合されたキャップ４が緩む方向に回転することを確実に防止できる。
【００３８】
また、本体３側は、フランジ３ａ部分がキャップ４の下端と振動板５（貫通孔５ｂの内周縁）の上面との間に挟持されているので、同様に回転が規制される。
【００３９】
したがって、振動板５に高速の破砕振動が伝達されても、キャップ４の緩みや貫通孔５ｂ内における破砕容器２の回転を確実に防止することができ、内容物（破砕対象）の漏出が生じないので、クロスコンタミネーションの発生を防止できる。
【００４０】
なお、破砕容器２の本体３に対してキャップ４が回転しないためには、キャップ４の螺合回転中心を除く少なくとも１点を押圧固定できればよい。
【００４１】
したがって、本実施の形態では、キャップ４の中心近傍を通過する位置において略一直線状に内側環状刃７ａ、外側環状刃７ｂが食い込むように構成されているが、これに限らず、刃状突起７が一部でもキャップ４に係っていればよく、キャップ４の中心近傍を通過していなくても構わない。
【００４２】
また、本実施の形態では、押圧板６の当接部に内側、外側２つの円環状の刃状突起７が形成された構成を例として示したが、配列される破砕容器２が１列の場合は円環状の刃状突起は１つで構成されていても構わない。
【００４３】
さらに、一つの破砕容器２に対して複数本の刃状突起７が食い込むような構成であっても構わない。
【００４４】
また、本実施の形態では、内側環状刃７ａ、外側環状刃７ｂはともに円形に連続した形状を例として示したが、キャップ４の上面に食い込ませることができる位置に形成されていれば、不連続な形状であっても構わない。
【００４５】
また、本実施の形態では、刃状突起７は内側、外側の何れもが円環状に形成されている構成を例として示したが、これに限らず、例えば放射方向へ延びる形状であっても構わない。
【００４６】
また、本実施の形態では、押圧板６を固定するノブ８が一つだけ設けられた構成を例として示したが、円周方向へ複数箇所並べて設けられた構成であっても良い。
【００４７】
また、本実施の形態では、刃状突起７はキャップ４の上面に対して略垂直に食い込む構成を例として示したが、キャップ４の上面に対して傾斜した方向に向かって刃先が食い込む構成であっても構わない。この場合、押圧状態となる刃先からキャップ４の上面に作用する力の方向へ、キャップ４の上面に平行な方向成分の力が生じる。このため、破砕容器２は振動板５の上面に押し付けられるとともに、貫通孔５ｂの内周面にも押し付けられ、２方向に押圧状態となる。これにより、振動板５に対する本体３の固定状態が安定する。
【００４８】
また、本実施の形態では固定手段を１本の固定軸５ｃと１つのノブ８で形成した例を示したが、固定軸５ｃおよびノブ８は複数個あってもよい。
【００４９】
（第２の実施の形態）
次に、本発明の第２の実施の形態に係る破砕装置の容器保持構造について、図５を用いて説明する。なお、第１の実施の形態において示した破砕装置の容器保持構造と同一構成、同一形状については、同一符号を付して説明する。
【００５０】
本実施の形態では、振動板５は第１の実施の形態において図２に示した構成と同じであり、押圧板２６の構成のみが異なっている。
【００５１】
図５には、破砕容器２が振動板５と押圧板２６との間に固定された容器保持ユニット２１の外周の一部が示されている。図５（ａ）は破砕容器２が保持された振動板５の一部についての平面図を示し、図５（ｂ）は図５（ａ）のＢ−Ｂ線で切断した断面図を示している。
【００５２】
先ず、図５（ｂ）を参照して、本実施の形態では、押圧板２６の外周縁から幅２０の領域が当接部２６ａとして突出形成されている。この当接部２６ａは、円環状に２列で配列された複数の破砕容器２のキャップ４の全体を覆う範囲に形成されている。この当接部２６ａの、キャップ４に対向する面には、同心円状に延びる２つの円形の溝２６ｂ、２６ｃが形成されている。
【００５３】
第１の実施の形態の構成と同様に、押圧板２６は、キャップ４よりも硬質材で形成されているので、図５（ｂ）の断面図を見て分かるように、押圧板２６の当接部２６ａがキャップ４上面に押圧されることにより、溝２６ｂ、２６ｃを除く領域が沈み込んでいる。すなわち、キャップ４の上面のうち、溝２６ｂ、２６ｃに位置する部分が溝２６ｂ、２６ｃに入り込んでいる。
【００５４】
図５（ａ）には、キャップ４の上面のうち、当接部２６ａにより押圧される部分を、斜線を施した領域２９として示している。
【００５５】
以上のように、本実施の形態では、破砕容器２が振動板５と押圧板２６との間に挟持されることにより、それぞれのキャップ４の上面は、略直線状の領域（領域２９を除く部分）が溝２６ｂ、２６ｃ内に入り込むことによって当接部２６ａと係合する。これにより、キャップ４の螺合回転が阻止され、高速振動時においても、本体３に対してキャップ４が緩むことを防止できる。
【００５６】
なお、本実施の形態では、破砕容器２に対して、溝２６ｂ、２６ｃがそれぞれ１本だけ通過する構成を例として示したが、複数の溝が形成されていても良い。
【００５７】
また、当接部２６ａに形成される複数の溝は同心円上に形成されていなくても構わない。例えば、半径方向に延びる溝であっても良い。
【００５８】
（第３の実施の形態）
次に本発明の第３の実施の形態に係る破砕装置の容器保持構造について、図６を用いて説明する。なお、第１の実施の形態において示した破砕装置の容器保持構造と同一構成、同一形状については、同一符号を付して説明する。
【００５９】
本実施の形態では、振動板５は第１の実施の形態において図２に示した構成と同じであり、押圧板３６の構成のみが異なっている。
【００６０】
図６には、破砕容器２が振動板５と押圧板３６との間に固定された容器保持ユニット３１の外周の一部が示されている。図６（ａ）は破砕容器２が保持された振動板５の一部についての平面図を示し、図６（ｂ）は図６（ａ）のＣ−Ｃ線で切断した断面図を示している。
【００６１】
先ず、図６（ｂ）を参照して、本実施の形態では、押圧板３６の外周縁から幅３０の領域が当接部３６ａ（凸部）として突出形成されている。この当接部３６ａは、第２の実施の形態とは異なり、円環状に２列で配列された破砕容器２のキャップ４に対して、全体を覆うようには形成されていない。すなわち、外側に配列される破砕容器２のキャップ４の内側半分を覆うとともに、内側に配列される破砕容器２のキャップ４の外側半分を覆うように形成されている。
【００６２】
図６（ａ）には、キャップ４の上面のうち、当接部３６ａにより押圧される部分を、斜線を施した領域３９として示している。
【００６３】
本実施の形態においても、押圧板３６の方がキャップ４よりも硬質の部材で形成されていることは同様である。このため、当接部３６ａが弦月形に当接する領域３９の部分が沈み込み、領域３９を除くキャップ４の上面との間に段差が生じている。したがって、この段差部分が当接部３６ａのエッジと係合することにより、キャップ４の螺合回転が阻止されて、高速振動時においても、本体３に対してキャップ４が緩むことを防止できる。
【００６４】
なお、本実施の形態では、当接部３６ａが外側に配列される破砕容器２と内側に配列される破砕容器２との間を跨ぐように突出形成された構成を例として示したが、押圧板３６の押圧によりキャップ４の上面に１つの段差が生じる構成であれば、当接部は他の形状であっても構わない。
【００６５】
例えば、外側、内側に配列される破砕容器２にそれぞれ当接する２列の当接部が突出形成されていても良い。また、円環状ではなく、放射状に延びる当接部であっても良い。
【００６６】
（第４の実施の形態）
次に本発明の第４の実施の形態に係る破砕装置の容器保持構造について、図７を用いて説明する。なお、第１の実施の形態において示した破砕装置の容器保持構造と同一構成、同一形状については、同一符号を付して説明する。
【００６７】
本実施の形態では、振動板５は第１の実施の形態において図２に示した構成と同じであり、押圧板４６の構成のみが異なっている。
【００６８】
図７には、破砕容器２が振動板５と押圧板４６との間に固定された容器保持ユニット４１の外周の一部が示されている。図７（ａ）は破砕容器２が保持された振動板５の一部についての平面図を示し、図７（ｂ）は図７（ａ）のＤ−Ｄ線を切断した断面図を示している。
【００６９】
先ず、図７（ｂ）を参照して、本実施の形態では、押圧板４６の外周縁から幅４０の領域が当接部４６ａとして突出形成されている。この当接部４６ａは、第２の実施の形態と同様に、円環状に２列で配列された破砕容器２のキャップ４に対して、略全体を覆うように形成されている。
【００７０】
しかし、キャップ４と当接する面には、溝ではなく、エンボス加工面４６ｂが形成されている点で、異なっている。
【００７１】
図７（ａ）には、キャップ４の上面が当接部４６ａにより押圧される部分を斜線を施した領域４９として示している。本実施の形態においても、押圧板４６の方がキャップ４よりも硬質の部材で形成されていることは同様である。
【００７２】
したがって、キャップ４の上面の全域がエンボス加工面４６ｂにより押圧されているので、キャップ４の上面がエンボス加工面４６ｂにグリップし、キャップ４の螺合回転が阻止される。これにより、高速振動時においても、本体に対してキャップ４が緩むことを防止できる。
【００７３】
なお、本実施の形態では、当接部４６ａの全面にエンボス加工面４６ｂが形成されている構成を例として示したが、このエンボス加工面４６ｂは、キャップ４と当接する領域の一部に形成されていても同様の効果を得ることができる。
【００７４】
（第５の実施の形態）
次に本発明の第５の実施の形態に係る破砕装置の容器保持構造について、図８を用いて説明する。なお、第１の実施の形態において示した破砕装置の容器保持構造と同一構成、同一形状については、同一符号を付して説明する。
【００７５】
本実施の形態では、振動板５は第１の実施の形態において図２に示した構成と同じであり、押圧板５６の構成のみが異なっている。
【００７６】
図８には、破砕容器２が振動板５と押圧板５６との間に固定された容器保持ユニット５１の外周の一部が示されている。図８（ａ）は破砕容器２が保持された振動板５の一部についての平面図を示し、図８（ｂ）は図８（ａ）のＥ−Ｅ線を切断した断面図を示している。
【００７７】
先ず、図８（ｂ）を参照して、本実施の形態では、押圧板５６の外周縁から幅５０の領域が当接部５６ａとして形成されている。この当接部５６ａには、キャップ４の上面に当接可能な位置に尖頭部５７ａ、５７ｂが突出形成されている。これら尖頭部５７ａ、５７ｂは、一つの破砕容器２に対して２本当接するように形成されている。
【００７８】
本実施の形態においても、押圧板５６（尖頭部５７ａ、５７ｂ）を形成する材質の方がキャップ４よりも硬質の部材で形成されていることは同様であり、当接した尖頭部５７ａ、５７ｂの先端はキャップ４に食い込んでいる。
【００７９】
図８（ａ）には、キャップ４の上面が尖頭部５７ａ、５７ｂにより押圧される部分を、斜線を施した領域５９として示している。この図８（ａ）に示した領域５９の位置から分かるように、尖頭部５７ａ、５７ｂが当接する位置は、キャップ４の螺合回転中心を除く位置に形成されているので、本体３に対するキャップ４の回転が阻止される。このため、高速振動時においても、本体３に対してキャップ４が緩むことを防止できる。
【００８０】
なお、本実施の形態では、尖頭部５７ａ、５７ｂがそれぞれの破砕容器２のキャップ４に２本ずつ突立つ構成を例として示したが、突立つ位置が、キャップ４の螺合回転中心を除く位置であれば、少なくとも１本の尖頭部が形成されていれば、同様の効果を得ることができる。
【産業上の利用可能性】
【００８１】
本発明は、破砕装置における容器保持構造として好適に利用する事ができる。
【符号の説明】
【００８２】
２  破砕容器
３  本体
３ａ  フランジ
４  キャップ（蓋体）
５  振動板（振動部）
５ａ  保持部
５ｂ  貫通孔
５ｃ  固定軸
５ｄ  保持部境界線
６、２６、３６、４６、５６  押圧板（押圧部材）
６ｈ  固定軸貫通孔
７  刃状突起
７ａ  内側環状刃
７ｂ  外側環状刃
８  ノブ
１１、２１、３１、４１、５１  容器保持ユニット
６ａ、２６ａ、４６ａ、５６ａ  当接部
２６ｂ、２６ｃ  溝
３６ａ  当接部（凸部）
４６ｂ  エンボス加工面
５７ａ、５７ｂ  尖頭部
【図１】
2014108385.tif 000003
【図２】
2014108385.tif 000004
【図３】
2014108385.tif 000005
【図４】
2014108385.tif 000006
【図５】
2014108385.tif 000007
【図６】
2014108385.tif 000008
【図７】
2014108385.tif 000009
【図８】
2014108385.tif 000010
【図９】
2014108385.tif 000011